(57)【要約】【課題】棚部分に垂直のフランジを有する組立式家具に対して、普通のカーテンや所謂カフェカーテンやブラインド装置のような遮蔽具を簡単かつ安定的に吊着し得る組立式家具用カーテン取付具を開発し、収容物を視界から隠蔽しあるいは直射光から遮蔽したいという使用者の声に応える。【解決手段】板状のレール体と該レール体を組立式家具に固定するための固定具から成り、固定具の一端がレール体に強固に固着され、他端が組立式家具の一部に強固に固着されることにより、レール体が組立式家具に強固かつ安定的に固着される組立式家具用カーテン取付具を提供する。【選択図】        図３
2007029617.tif 000002
【特許請求の範囲】
【請求項１】
組立式家具用のカーテン取付具であって、カーテンのフックを係着摺動できる板状のレール体と該レール体を組立式家具に固定するための固定具から成り、レール体に固定具の一端が固着され、該固定具の他端が組立式家具の一部に螺着固定されることにより、レール体が組立式家具に強固かつ安定的に固着されることを特徴とする組立式家具用カーテン取付具。
【請求項２】
レール体の両端部に、レール体に直交するように突設された一対の支持体を有し、棒体を上記一対の支持体間に渡設し、該棒体を、複数のリング又はカーテン本体に穿設した孔によって吊設される類のカーテンのカーテンレールとして用いることができるように構成したことを特徴とする請求項１に記載の組立式家具用カーテン取付具。
【請求項３】
レール体にブラインド装置の取付用アタッチメントが装着できる孔が設けられていることを特徴とする請求項１あるいは請求項２に記載の組立式家具用カーテン取付具。
【発明の詳細な説明】
【技術分野】
【０００１】
本発明は、組立式家具用カーテン取付具に関するものであり、さらに詳しくは、カーテンのフックを係着摺動できる板状のレール体と該レール体を組立式家具に固定するための固定具から成り、レール体に固定具の一端が固着され、該固定具の他端が組立式家具の一部に螺着固定されることにより、レール体が組立式家具に強固かつ安定的に固着されることを特徴とする組立式家具用カーテン取付具に関するものである。
【背景技術】
【０００２】
昨今、核家族化の傾向が進み、さらに未婚の若者の一人暮らしの傾向が強まるにつれ、家具というものに対する考え方も大幅に変化し、従来の重厚で立派な家具よりも、むしろ移動や増設、組み換えに便利な組立式家具が好まれるようになってきた。特に、本棚や物置棚に関してはこの傾向が顕著で、様々な形式の組立式の本棚や物置棚が発売され、人気を呼んでいる。
【０００３】
図１４ａ〜図１４ｃに示す組立式棚Ｓもそのような組立式家具の１種であり、金属製の線材で構成された棚ｓ１〜ｓ４の夫々の４隅に円筒状のジョイントＪが固着されており、ジョイントＪにパイプＰを貫通固定させることにより、各種の組み合わせが可能となるように構成されている。なお、Ｆは棚ｓ１〜ｓ４の夫々の４隅に設けられたフランジである。また、図１４ａは組立式棚Ｓの正面図であり、図１４ｂは組立式棚Ｓの左側面図であり、図１４ｃは組立式棚Ｓの平面図である。
【０００４】
組立式棚Ｓのような形状の組立式家具は、棚ｓ１〜ｓ４に本を収納すれば本棚となり、衣服を収納すれば衣服用の収納棚となる。さらには、台所に置いて台所用品や食品を収納したり、居間に置いてテレビや花瓶や置物を収納したり、ガレージに置いて工具類を収納したりと、様々な使い方が可能であり、このような製品のカタログには、必ずといっていいほど、多用な種類の品物を収容した写真が多数掲載されている。
【０００５】
しかしながら、そのようなカタログの写真を見ると、収納物を一種のインテリアとして展示するようなスタイルの写真が大部分である。したがって、例えば居間に置かれた組立式棚Ｓの写真では洒落たデザインのテレビやオーディオ装置、あるいは著名デザイナーの照明器具等が配されていたり、あるいは衣服や台所用品の収納棚として使われている場合にても、きちんと整理整頓されて、色彩や形態等において収納物を見せることによる効果が充分に考慮された写真となっている。
【０００６】
しかしながら、現実の家庭においてこのような組立式家具が用いられている様子を見ると、カタログの写真のように整理整頓されてデザイン的配慮が行き届いた用いられ方はごく少数で、やはり多少とも乱雑となり、所謂「生活臭が漂う」用いられ方が大部分であると言わざるを得ない。
【０００７】
したがって、組立式家具のカタログの写真はむしろ収納物を見せることによりインテリアとしての価値を高めようとしているが、現実には、余り露出させておきたくない用い方をしている例も多い。また、本棚としての使用の場合、書物などは、直射日光の当たる場所に露出させて収納すると表紙が退色したり紙焼けをおこすものが多い。このような事情から、収容物を視線から隠蔽したり、直射光から遮蔽したいという要望が当然起こってくる。
【０００８】
しかしながら、これまで、組立式家具においては、カーテンやブラインドのような遮蔽具を具備したものは殆ど見当たらなかった。この理由は、先述のように、組立式家具のメーカーにおいては、組立式家具においては収容物をインテリアの１要素として展覧していくという方向にのみ発想が向かい、収容物を遮蔽するという逆の発想が出てこなかったからであると思われる。
【０００９】
しかるに、実際に組立式家具を購入した人は、それを、日々の生活の一環として用いるので、どうしてもカーテンやブラインドを用いて収容物を遮蔽したいという場合も上記のように多々生じる。しかるに、組立式家具のメーカーからはカーテンやブラインドを取り付ける部品が発売されていない場合が殆どであるので、遮蔽したくてもできないまま用い続けるか、あるいは遮蔽できるような構成の家具を新たに購入するかどちらかしか方法がなかった。
【００１０】
このような状況に鑑み、組立式家具にカーテンを吊設できるようにすることを目的とした発明がいくつか公開されている。そのうち、図１４ａ〜図１４ｃに示す組立式棚Ｓに用いることのできる発明としては、下記特許文献１、２に示すようなものが挙げられる。
【００１１】
下記特許文献１に開示されている「ラック用カーテン付けアタッチメント」は、「支柱」（図１４ａのパイプＰ）に装着するアタッチメントであり、確実かつ強固にカーテンレールを取付けることができる。しかし、このアタッチメントは、特定の組立式家具の特定部材に対して特化された構成であるゆえに、組立式家具の構成が少しでも変化すれば全く対応できないという欠陥を有する。
【００１２】
また、「支柱」に装着するという点から、「支柱」間のスパンが長くなった場合に、カーテンレールの弛みに対応できない。とくに、「パイプ製カーテンレール１５」はパイプ径が細いので、「支柱」間のスパンが短い場合でも、簡単に弛んでしまうことが予想される。あるいは、「ワイヤー製カーテンレール１６」は、その構成から、相当の弛みが予想され、外観上まことに好ましくない。なお、上記構成の「アタッチメント」では、ブラインドを吊設することは到底不可能である。
【００１３】
また、下記特許文献１に開示されている「ラック用カーテン付けアタッチメント」の他の種類は、「取付具」を「第１、第２プレート」に対向して設けた「フック」で「棚板」の「縁枠」（図１４ａのフランジＦ）を上下から挟んで「棚板」に固定するという構成であるが、夫々が別部材である「第１、第２プレート」で「棚板」を上下から挟着するという点で、構造的な弱さが指摘できる。
【００１４】
すなわち、下記特許文献１の図５に見るように、「第１プレート２２」と「第２プレート２４」と「レール保持具２６」が１本の「ねじ３１」で螺着される形となるので、「ねじ３１」が僅かでも緩めば、「アタッチメント２０」全体が「縁枠」から外れてしまう。また、この「アタッチメント２０」では、やはりブラインドは吊設できない。
【００１５】
さらに、装着できるカーテンレールはやはり細いパイプ製とならざるを得ず、スパンが短くても弛みの発生は避けられない。図６、図８には「パイプ製カーテンレール１５」が水平に伸びているように描かれているが、実際にはこのようにはならず、どうしても中間部が弛んでしまうこととなる。  
【００１６】
次に、下記特許文献２において「ラック用アタッチメント」という名称で開示されている発明も、特許文献１の第２の形態と良く似ており、「縁枠」（図１４ａのフランジＦ）を上下から挟んで「棚板」に固定するという構成である故に、やはり特許文献１の第２の形態の発明が有していたような構造的弱点を有するものである。特に、特許文献２の「ラック用アタッチメント」は、上下の部材（プラグとソケット）を噛合により固定しているだけなので、特許文献１の第２の形態の発明よりさらに構造的に弱いといわざるをえない。
【００１７】
特許文献２の図６には、大径の棒材（ポール）を担持する構成の「アタッチメント」が描かれているが、上下の部材（プラグとソケット）を噛合により固定するのみでは、現実には、大径の棒材（ポール）とカーテン本体を合わせた重量を担持するのは非常に無理があるのではないかと思われる。
【００１８】
特許文献２の図２あるいは図７のように、「アタッチメント」１つに対してカーテンのフックを一つ取付けるという構成にすれば、複数の「アタッチメント」でカーテン全体の重量を担持するので、重量的に無理は少なくなる。しかしながら、特許文献２の明細書がいうように、この形態の「アタッチメント」をカーテンの「キャリア」として用いるのはかなり無理があるといわざるを得ない。
【００１９】
すなわち、「アタッチメント１、１Ａ」は「フック７，９」にて「棚板」を挟着することにより「棚板」に固定されるものであるが、固定状態を確実なものとするために挟着力を強めれば強めるほど、「アタッチメント１、１Ａ」を「棚板」に対して「スライド」させることは困難となる。逆に、「スライド」能力を高めんとすれば、挟着力を弱めざるを得ず、固定状態は不安定となる。
【００２０】
つまり、特許文献２の「アタッチメント１、１Ａ」においては、挾着力とスライド能力とは反比例の関係となるので、実際に「アタッチメント１、１Ａ」を「キャリア」として用いるのは不可能に近いといわねばならない。したがって、「アタッチメント１、１Ａ」を用いた場合には、カーテン上部は「棚板」に固定されてしまうこととなる。
【００２１】
なお、特許文献２の図１０、図１１で示された形態のように滑車１６を用いる方法もあるが、この場合にも、結局は滑車１６とフック７にて「棚板」を挟着することにより「アタッチメント１Ａ」の固定状態が確実になるので、やはり挾着力と「スライド」能力が反比例している問題は解決されたとはいえない。すなわち、滑車１６の転動を円滑にしようとすれば挾着力を弱めざるを得ず、そうすると「アタッチメント１Ａ」の固定状態が不安定となってしまう。
【特許文献１】特開２００３‐６１７６０号公報
【特許文献２】特開２００４‐８１２２７号公報
【発明の開示】
【発明が解決しようとする課題】
【００２２】
本発明は、上記のような事情に鑑み、組立式家具のうち、図１４ａ〜図１４ｃに示す組立式棚Ｓのように、棚ｓ１〜ｓ４に垂直のフランジＦ部分を有する組立式家具に対して、カーテンやブラインドのような遮蔽具を安定的に装着し得る組立式家具用カーテン取付具を提供せんとするものである。特に、カーテンのフックを安定的に摺動でき、かつスパンの中間部にても弛み等の変形を起こしにくい平板状のレール体を備えた組立式家具用カーテン取付具を提供せんとするものである。
【００２３】
さらに、レール体を組立式家具に固定する固定具を、組立式家具の棚のフランジ部に強固に固着することにより安定的なカーテンの吊設を実現する。
【００２４】
また、カーテンには様々な種類のものがあるが、組立式家具のサイズや用いられ方を考えると、通常の、複数のフックをレールを用いて水平に摺動させて開閉する形式のカーテンが最も多用されると考えられる。あるいはカーテン上部に複数のリングを設け又は複数の孔を穿設して、複数のリング又は孔に棒体を挿通して水平に開閉する所謂「カフェカーテン」と呼称される種類のカーテンも多く用いられると思われる。
【００２５】
したがって、本発明は、上記２種類のカーテンに対して確実に対応できる構成とし、さらに、窓用のブラインド装置も装着できるような構成とするものである。
【課題を解決するための手段】
【００２６】
本発明は、上記課題を解決するためになされたものであり、以下に示す解決手段を提供するものである。
＜解決手段１＞
組立式家具用のカーテン取付具であって、カーテンのフックを係着摺動できる板状のレール体と該レール体を組立式家具に固定するための固定具から成り、レール体に固定具の一端が固着され、該固定具の他端が組立式家具の一部に螺着固定されることにより、レール体が組立式家具に強固かつ安定的に固着されることを特徴とする組立式家具用カーテン取付具。
＜解決手段２＞
レール体の両端部に、レール体に直交するように突設された一対の支持体を有し、棒体を上記一対の支持体間に渡設し、該棒体を、複数のリング又はカーテン本体に穿設した孔によって吊設される類のカーテンのカーテンレールとして用いることができるように構成したことを特徴とする解決手段１に記載の組立式家具用カーテン取付具。
＜解決手段３＞
レール体にブラインド装置の取付用アタッチメントが装着できる孔が設けられていることを特徴とする解決手段１あるいは解決手段２に記載の組立式家具用カーテン取付具。
【発明の効果】
【００２７】
本発明の、解決手段１の発明においては、組立式家具用のカーテン取付具であって、カーテンのフックを係着摺動できる板状のレール体と該レール体を組立式家具に固定するための固定具から成り、レール体に固定具の一端が固着され、該固定具の他端が組立式家具の一部に螺着固定されることにより、レール体が組立式家具に強固かつ安定的に固着されることを特徴とする組立式家具用カーテン取付具であるので、複数のフックをレール上に水平に摺動させて開閉する形式のカーテンを組立式家具に簡単に装着することが可能である。
【００２８】
特に、レール体が板状であるために、スパンの中間部にても弛み等の変形を受けにくく、カーテンのフックが円滑に摺動でき、また外観上もカーテン上部の水平性が保持されるので見るものに安定感と美しさを感じさせる。
【００２９】
また、レール体に固定具の一端が固着され、該固定具の他端が組立式家具の一部に螺着固定されることにより、レール体が組立式家具に強固かつ安定的に固着されるので、カーテンの開閉動作を反復継続しても、動作が不安定になることはなく、かつカーテン取付具自体が組立式家具から脱落するような懼れも存しない。
【００３０】
本発明の、解決手段２の発明においては、レール体の両端部に、レール体に直交するように突設された一対の支持体を有し、棒体を上記一対の支持体間に渡設し、該棒体を、複数のリング又はカーテン本体に穿設した孔によって吊設される類のカーテンのカーテンレールとして用いることができるように構成したことを特徴とする解決手段１に記載の組立式家具用カーテン取付具であるので、カーテン上部に複数のリングを設け又は複数の孔を穿設して、複数のリング又は孔を棒体に挿通して水平に開閉する所謂「カフェカーテン」と呼称される種類のカーテンも、組立式家具に簡単に装着することが可能である。
【００３１】
そして、この際、一対の支持体はレール体と同程度の幅広いものとできるので、大径の棒体を強固に、安定的に固着することが可能である。したがって、複数のリング又はカーテン本体に穿設した孔によって吊設される類のカーテンを吊設した場合に、カーテンの開閉動作を反復継続しても棒体が撓んだり外れたりすることがなく、安定的に使用を続けることができる。
【００３２】
本発明の、解決手段３の発明においては、レール体にブラインド装置の取付用アタッチメントが装着できる孔が設けられていることを特徴とする解決手段１あるいは解決手段２に記載の組立式家具用カーテン取付具であるので、窓用のブラインド装置も、組立式家具に簡単に装着することが可能である。
【００３３】
すなわち、解決手段３の発明の１形態においては、１種類のカーテン取付具で、通常のカーテンに加え、所謂「カフェカーテン」と呼称される種類のカーテンと窓用ブラインドも吊設できるので、利用者の選択の幅が大幅に広がり、部屋の種類や組立式家具の収納物の種類や利用者の好みによって、各種の展開を楽しむことが可能となった。
【発明を実施するための最良の形態】
【００３４】
本発明を実施するための最良の形態を、以下に図面を参照しながら詳細に説明する。
【実施例１】
【００３５】
＜実施例１の構成＞
実施例１のカーテン取付具１は図１に示すような外観であり、図２ａにはカーテン取付具１の正面図を示す。図１ｂは図１ａの左端部分の拡大図であり、図１ｃは図１ａの左端部分の外観の拡大図である。また図３はカーテン取付具１を組立式棚Ｓ（図１４ａ〜図１４ｃ参照）に装着した状態を示す外観斜視図、図４は図３の状態の左端部分の拡大平面図、図５は図４のＡ−Ａ断面図である。
【００３６】
カーテン取付具１は左右が後方に曲折された板状のレール体２と、レール体２を組立式棚Ｓに装着するための固定具３、３、から構成されている。レール体２は、図３に見るように、組立式棚Ｓの棚ｓ１の正面のフランジＦより水平方向にやや長く、組立式棚Ｓの棚ｓ１の正面のフランジＦに装着した場合に、正面から見てフランジＦを略隠蔽できるように構成されている。また、高さ方向においても、例えば、フランジＦの高さが約２５ｍｍの場合、レール体２の高さ、つまり垂直方向の幅Ｄ（図２ａ参照）を、約４５ｍｍ程度に構成することができる。
【００３７】
レール体２には、図１、図２ａに見るように、左端部と右端部を除く大部分に水平に長い略長方形状のガイド孔２２が穿設されており、ガイド孔２２の上部はレール２１となり、ガイド孔２２の下部はレール２３となっている。また、左端近傍には略長方形状のフック孔２２ａが穿設され、右端近傍には略長方形状のフック孔２２ｂが穿設されている。
【００３８】
レール体２の左端は円弧部分を介して後方に直角に曲折されて支持体２４となり、レール体２の右端も円弧部分を介して後方に直角に曲折されて支持体２５となっている。なお、レール体２は金属、プラスチック、木材、セラミック等で構成することができる。
【００３９】
レール体２の背面の左端と右端には、夫々固定具３、３が螺着固定されている。左端の固定具３はガイド孔２２とフック孔２２ａの中間のレール体２の背面に螺着固定され、右端の固定具３はガイド孔２２とフック孔２２ｂの中間のレール体２の背面に螺着固定されている。なお、図１のカーテン取付具１にては、固定具３を２個用いてカーテン取付具１を棚ｓ１のフランジＦに装着するが、カーテン取付具１の水平方向の長さが長尺となった場合（１．５ｍを超える場合など）は、中央にもう１つ固定具３を用いて、合計３個の固定具３にてフランジＦに装着することも可能である。
【００４０】
固定具３は図２ｃ、図５に示すような構成で、平板を側面視で門構え型に曲折した本体３１と平板を側面視で鉤型に曲折した補助体３２から構成される。本体３１は前板３１ａ、上板３１ｂ、後板３１ｃが一体として構成され、補助板３２は上板３２ａ、後板３２ｂが一体として構成される。固定具３は金属、プラスチック、木材、セラミック等で構成することができる。
【００４１】
固定具３の本体３１の上板３１ｂの下面と補助板３２の上板３２ａの上面は一体として固着されている。固着方法は、固定具３が金属製の場合には溶着あるいは接着、固定具３がプラスチック製の場合には熱溶着あるいは接着、固定具３が木製やセラミック製の場合には接着等の方法を用いることができる。
【００４２】
固定具３の本体３１の前板３１ａの正面はレール体２の背面にボルトＲ１、Ｒ２により螺着固定されており、これにより、固定具３全体がレール体２の背面に強固かつ安定的に固定されている。
【００４３】
また、固定具３の本体３１の後板３１ｃと補助体３２の後板３２ｂの間にはクリアランスｃが設けられているが、このクリアランスｃは、図５に見るように、組立式棚Ｓの棚板ｓ１の正面のフランジＦを構成する断面が円形の棒材Ｆ１、Ｆ２の直径と略同一に構成されている。さらに、後板３１ｃと後板３２ｂには、図５に見るようにボルトＲ３が渡設されている。
【００４４】
＜実施例１の作用＞
実施例１のカーテン取付具１は、全体を図１に見るように組立式棚Ｓの棚ｓ１の正面のフランジＦの上部に位置させ、レール体２をフランジＦと平行にして下方向（方向Ｘ）に移動させ、図５に見るように固定具３、３、の後端部の後板３１ｃ、３２ｂをフランジＦに嵌着させる（この時はボルトＲ３を外した状態である）。しかる後ボルトＲ３を締めこむことにより後板３１ｃ、３２ｂによってフランジＦの棒材Ｆ１、Ｆ２を挟着してフランジＦに強固かつ安定的に固着する。
【００４５】
この状態で、図３に見るように、カーテンＣ１のフックｆ２〜ｆ６、カーテンＣ２のフックｆ７〜ｆ１１をレール体２のレール２３に係止させる。この際、カーテンＣ１のフックｆ１はレール体２のフック孔２２ａに、カーテンＣ２のフックｆ１２はレール体２のフック孔２２ｂに、夫々係止させる。
【００４６】
これにより、カーテンＣ１、Ｃ２はカーテン取付具１に吊着されるので、後は、通常のカーテンの操作と同様に、カーテンＣ１、Ｃ２を水平に引くことによりフックｆ２〜ｆ６、フックｆ７〜ｆ１１はレール体２のレール２３上を摺動させられ、カーテンＣ１、Ｃ２が開閉される。
【００４７】
この際、カーテンＣ１、Ｃ２を水平に引いても、フックｆ１はレール体２のフック孔２２ａに係止され、カーテンＣ２のフックｆ１２はレール体２のフック孔２２ｂに係止された状態で固定されるので、カーテンＣ１の左端、カーテンＣ２の右端は動かず、カーテンＣ１、Ｃ２は所謂「中央開き」のカーテンとして機能することとなる。
【００４８】
カーテンＣ１の２倍（水平方向に２倍）のサイズのカーテン（図示せず）を、複数のフックを用いてカーテン取付具１に係着する場合には、左端のフックをフック孔２２ａに係止して残りのフックをレール体２のレール２３に係止するか、あるいは右端のフックをフック孔２２ｂに係止して残りのフックをレール体２のレール２３に係止するか、どちらかの状態とすれば、所謂「片開き」のカーテンとして機能させることが可能である。
【００４９】
図６ａ〜図６ｄは、実施例１のカーテン取付具１のレール体２のレール２１、ガイド孔２２、レール２３の幅（垂直方向の幅）に関して検討を加えてみたものである。レール２１の垂直方向の幅をｄ１で、ガイド孔２２の垂直方向の幅をｄ２で、レール２３の垂直方向の幅をｄ３で、夫々示す。この際、レール体２の垂直方向の幅をＤとすれば、幅Ｄは幅ｄ１、幅ｄ２、幅ｄ３の合計となる。
【００５０】
図６ａは、幅ｄ１、幅ｄ２、幅ｄ３が略等しい場合を示している。したがって、例えば幅Ｄを４５ｍｍとするならば、幅ｄ１、幅ｄ２、幅ｄ３は夫々１５ｍｍ程度となる。
【００５１】
ここでまず重要になるのは、ガイド孔２２の幅ｄ２である。というのは、カーテンＣ１、Ｃ２のフックｆ２〜ｆ１１は、まずガイド孔２２に上端を挿通してからレール２３の上端に係止させるので（図３参照）、フックｆ２〜ｆ１１を斜めにして支障なく挿通できる下限の寸法がガイド孔２２の幅ｄ２の下限として決定されるからである。
【００５２】
この幅ｄ２の下限寸法は、フックｆ２〜ｆ１１を通常用いられるもの（全長７〜１０ｃｍ程度）とした場合、１０ｍｍ程度となるので、図６ａの幅ｄ２＝１５ｍｍ程度という寸法は、無理なくフックｆ２〜ｆ１１を挿通係止できるものであるといえる。
【００５３】
なお、フック孔２２ａ、２２ｂの垂直方向の長さは、ガイド孔２２の幅ｄ２と同一にできるので、ガイド孔２２の幅ｄ２が１５ｍｍ程度であれば、フック孔２２ａ、２２ｂの垂直方向の長さも１５ｍｍ程度とすることができ、フックｆ１、ｆ１２も無理なく挿通係止される。
【００５４】
図６ｂは、幅ｄ２と幅ｄ３を略同一とし、幅ｄ１を幅ｄ２あるいは幅ｄ３の約半分とした例である。この場合においても幅Ｄを４５ｍｍ程度とすれば、幅ｄ１は９ｍｍ程度、幅ｄ２は１８ｍｍ程度、幅ｄ３も１８ｍｍ程度となる。したがって、フックｆ１〜ｆ１２は問題なくガイド孔２２に挿通され、レール２３の上端に係止される。
【００５５】
図６ｂに示す例の場合は、図６ａに示す例と比較すると、ガイド孔２２の位置が高くなっているが、このようにすれば、外観上は非常に都合が良い。というのは、図３、図５に見るように、通常カーテンＣ１、Ｃ２の上端は、フックｆ１〜ｆ１２の上端より高い位置にくるように構成されているが、カーテンの種類によってはカーテンの上端とフックの上端の差が余りないものもあり（図示せず）、このようなカーテンの場合には、正面から見ると、レール体２の上部が見えてみっともない状態となりかねない。
【００５６】
しかるに、図６ｂのようにガイド孔２２の位置が高ければ、上記のようなカーテンにおいても、レール体２の上部が見えにくくなり、外観上非常に都合が良いということになる。
【００５７】
しかしながら、ガイド孔２２を余りに上方に位置させると、今度はレール２１の幅ｄ１が小となりすぎて、強度的に問題が起こる。すなわち、レール体２の水平方向の延長は、組立式棚Ｓ（図３参照）の正面から見た水平方向の延長よりやや大に構成されるので、通常は１ｍ前後であるが、長いものでは２ｍ近くになる。したがって、レール体２の厚さと水平方向の延長にもよるが、レール２１の幅ｄ１の下限値は５ｍｍ程度となると思われる。
【００５８】
一方、レール２３の幅ｄ３の下限値は、レール２１の幅ｄ１の下限値より大とならなければならない。というのは、図３に見るようにレール２３にはカーテンＣ１、Ｃ２のフックｆ２〜ｆ１１が係止され、カーテンＣ１、Ｃ２の重量の殆どがこの部分にかかってくるからである。したがって、これもレール体２の厚さと水平方向の長さによるが、幅ｄ１の下限値の２倍の１０ｍｍ程度は必要と考えられる。
【００５９】
図６ｃには、ガイド孔２２の幅ｄ２をできるだけ大きくとって、レール２１の幅ｄ１とレール２３の幅ｄ３を下限値に近い値まで狭くした例を示す。図６ｃにおいては、幅ｄ２は幅ｄ１の約３倍、幅ｄ３は幅ｄ１の約２倍としているので、レール体２の幅Ｄを４５ｍｍ程度とした場合、幅ｄ１は７．５ｍｍ程度、幅ｄ２は２２．５ｍｍ程度、幅ｄ３は１５ｍｍ程度となる。このような構成は、レール体２の水平方向の延長が比較的短い場合に適合する。あるいは、レール体２の水平方向の延長が長くなった場合は、固定具３を３個用いるということにしても良い。
【００６０】
図６ｄには、逆にガイド孔２２の幅ｄ２をできるだけ狭くして下限値に近いものとし、その分幅ｄ２、幅ｄ３を広めにとった例を示す。図６ｄにおいては、幅ｄ２と幅ｄ１を等しくし、幅ｄ３は幅ｄ１あるいは幅ｄ２の約２倍としているので、レール体２の幅Ｄを４５ｍｍ程度とした場合、幅ｄ１は１１．２５ｍｍ程度、幅ｄ２も１１．２５ｍｍ程度、幅ｄ３は２２．５ｍｍ程度となる。このような構成は、レール体２の水平方向の延長が比較的長い場合に適合する。
【実施例２】
【００６１】
＜実施例２の構成＞
実施例２のカーテン取付具１０は図７に示すような外観であり、図８にはカーテン取付具１０を組立式棚Ｓ（図１４ａ〜図１４ｃ参照）に装着した状態の外観を示す。図９は図８の状態の左端部分の拡大平面図、図１０は図９のＢ−Ｂ断面図である。
【００６２】
カーテン取付具１０は、実施例１のカーテン取付具１において、レール体２を転倒させて支持板２４、２５が正面側に突出するようにした状態で、図７のレール体２の背面に固定具３、３を螺着して構成される。したがって、全体を示す符号（カーテン取付具１０）以外は、実施例１のカーテン取付具１と同一の部材に対して同一の符号を用いて説明する。カーテン取付具１０の構成は、レール体２が転倒されていること以外は実施例１のカーテン取付具１と同一である。
【００６３】
＜実施例２の作用＞
実施例２のカーテン取付具１０は、全体を図８に見るように組立式棚Ｓの棚ｓ１の正面のフランジＦの上部に位置させ、レール体２をフランジＦと平行にして下方向（方向Ｘ）に移動させ、図１０に見るように固定具３、３、の後端部の後板３１ｃ、３２ｂをフランジＦに嵌着させる（この時はボルトＲ３を外した状態である）。しかる後ボルトＲ３を締めこむことにより後板３１ｃ、３２ｂによってフランジＦの棒材Ｆ１、Ｆ２を挟着してフランジＦに固定する。
【００６４】
この状態で、図８に見るように、支持板２４、２５の間に棒体ＲＤを渡設固定する。図８にては、棒体ＲＤとして、バネ（図示せず）を内設した伸縮棒（公知技術で通称として「ツッパリ棒」と呼称されている）を用いているので、棒体ＲＤの左端が支持板２４に当接し、棒体ＲＤの右端が支持板２５に当接した状態で、棒体ＲＤは内部のバネによって左端が左方に、右端が右方に夫々付勢されているので、図８の状態で強固かつ安定的に固着される。
【００６５】
カーテンＣ３は、複数のリングｒ、ｒ、…又は孔ｈ、ｈ、…に棒体ＲＤを挿通して水平に開閉する所謂「カフェカーテン」と呼称される種類のカーテンで、図８の例では、棒体ＲＤに複数のリングｒ、ｒ、…がすでに挿通された状態であるので、棒体ＲＤを支持板２４、２５間に渡設固定することにより、カーテンＣ３の吊着は完了する。あとは、通常の所謂「カフェカーテン」と同様の操作で開閉を行えばよい。なお、複数のリングｒ、ｒ、…を用いることなく、直接孔ｈ、ｈ、…に棒体ＲＤを挿通しても無論良い。
【００６６】
なお、図８に示す例では棒体ＲＤとしてバネ（図示せず）を内設した伸縮棒を用いたが、単純な丸棒（図示せず）を支持板２４、２５間に渡設固定しても良い。この場合には、該丸棒の左端を支持板２４に、右端を支持板２５に固着する手段として、螺着、接着等が考えられる。また、支持板２４、２５になんらかの固着手段（例えば丸棒の左端及び右端を安定的に嵌着できる凹部等）を設けても良い。
【実施例３】
【００６７】
＜実施例３の構成＞
実施例３のカーテン取付具１００は図１１に示すような外観で、カーテン取付具１００を組立式棚Ｓ（図１４ａ〜図１４ｃ参照）に装着した状態の外観を示している。図１２は図１１の状態の左端部分の拡大平面図、図１３は図１２のＣ−Ｃ断面図である。
【００６８】
カーテン取付具１００は、実施例１のカーテン取付具１と全く同一の構成であるので、構成の詳細な説明は省略する。また、図１１〜図１３においては、全体を示す符号（カーテン取付具１００）以外は、実施例１のカーテン取付具１と同一の部材に対して同一の符号を用いている。
【００６９】
＜実施例３の作用＞
実施例３のカーテン取付具１００は、実施例１のカーテン取付具１と全く同一の方法にて組立式棚Ｓの棚板ｓ１の正面のフランジＦの上部に固定される。この状態で、図１１に見るように、レール体２の左端近傍にブラインド装置ＢＤのブラケットＢＲ１を、レール体２の右端近傍にブラインド装置ＢＤのブラケットＢＲ２を、夫々螺着する。螺着においては、ブラケットＢＲ１には補助版２６を、ブラケットＢＲ２には補助版２７を、夫々使用する。
【００７０】
ブラケットＢＲ１、ＢＲ２の螺着方法は同一であるので螺着方法の詳細を、ブラケットＢＲ１にて説明する。図１２、図１３に見るように、ブラケットＢＲ１の背面をレール体２の正面に当接させ、ブラケットＢＲ１と同一の高さを有する補助版２６をレール体２の背面に位置させて、補助版２６とブラケットＢＲ１をボルトＲ４にて螺着固定する。
【００７１】
この際、ボルトＲ４はレール体２のガイド孔２２を貫通するが（図１３参照）、レール体２はブラケットＢＲ１と補助版２６に挟着されることになり、ボルトＲ４を強く締めこむことによってブラケットＢＲ１はレール体２に強固かつ安定的に固着される。同様にして、ブラケットＢＲ２も補助版２７によりレール体２に強固かつ安定的に固着される（図１１参照）。
【００７２】
ブラケットＢＲ１、ＢＲ２がカーテン取付具１００に固定されれば、後は通常の装着方法にてブラインド装置ＢＤの装着を行う。すなわち、ブラインド装置ＢＤのヘッドボックスＨＢをブラケットＢＲ１、ＢＲ２に嵌着することにより、ブラインド装置ＢＤはブラケットＢＲ１、ＢＲ２を介してカーテン取付具１００に吊着され、その結果、組立式棚Ｓに強固かつ安定的に吊着されるものである。
【産業上の利用可能性】
【００７３】
本発明の組立式家具用カーテン取付具は、簡便な構成で、主婦やお年寄りでも簡単に組立式家具に強固かつ安定的に固着できるので、応用範囲は極めて広い。しかも通常のカーテンだけではなく所謂「カフェカーテン」と呼称される類のカーテンや窓用のブラインド装置も吊着できるので、組立式家具が用いられる場所や用いる人の趣味嗜好によって、様々な展開が可能となる。収納物を展示するという発想が主流であった組立式家具の世界において、収納物を視界から掩蔽し、あるいは直射光から遮蔽するという新たな発想を現実化、実用化するものであり、幅広い応用と展開の可能性を秘めている。
【図面の簡単な説明】
【００７４】
【図１】本発明の実施例１の組立式家具用カーテン取付具の作用を説明する説明図である。
【図２】（ａ）本発明の実施例１の組立式家具用カーテン取付具の正面図である。（ｂ）図２ａの要部の拡大図である。（ｃ）本発明の実施例１の組立式家具用カーテン取付具の要部の外観斜視図である。
【図３】本発明の実施例１の組立式家具用カーテン取付具の作用を説明する説明図である。
【図４】本発明の実施例１の組立式家具用カーテン取付具の要部の拡大平面図である。
【図５】図４のＡ−Ａ断面図である。
【図６】（ａ）本発明の実施例１の組立式家具用カーテン取付具の要部の正面図である。（ｂ）本発明の実施例１の組立式家具用カーテン取付具の要部の別の構成を示す正面図である。（ｃ）本発明の実施例１の組立式家具用カーテン取付具の要部の別の構成を示す正面図である。（ｄ）本発明の実施例１の組立式家具用カーテン取付具の要部の別の構成を示す正面図である。
【図７】本発明の実施例２の組立式家具用カーテン取付具の作用を説明する説明図である。
【図８】本発明の実施例２の組立式家具用カーテン取付具の作用を説明する説明図である。
【図９】本発明の実施例２の組立式家具用カーテン取付具の要部の拡大平面図である。
【図１０】図９のＢ−Ｂ断面図である。
【図１１】本発明の実施例３の組立式家具用カーテン取付具の作用を説明する説明図である。
【図１２】本発明の実施例３の組立式家具用カーテン取付具の要部の拡大平面図である。
【図１３】図１２のＣ−Ｃ断面図である。
【図１４】（ａ）組立式家具の一例の正面図である。    （ｂ）組立式家具の一例の左側面図である。    （ｃ）組立式家具の一例の平面図である。
【符号の説明】
【００７５】
１      カーテン取付具
１０    カーテン取付具
１００  カーテン取付具
２      レール体
２１    レール
２２    ガイド孔
２２ａ  フック孔
２２ｂ  フック孔
２３    レール
２４    支持板
２５    支持板
２６    補助板
２７    補助板
３      固定具
３１    本体
３１ａ  前板
３１ｂ  上板
３１ｃ  後板
３２    補助体
３２ａ  上板
３２ｂ  後板
ＢＤ    ブラインド装置
ＢＲ１  ブラケット
ＢＲ２  ブラケット
Ｃ１    カーテン
Ｃ２    カーテン
Ｃ３    カーテン
Ｄ      幅
Ｆ      フランジ
Ｆ１    棒材
Ｆ２    棒材
ＨＢ    ヘッドボックス
Ｊ      ジョイント
Ｐ      パイプ
Ｒ１    ボルト
Ｒ２    ボルト
Ｒ３    ボルト
Ｒ４    ボルト
ＲＤ    棒体
Ｓ      組立式棚
Ｘ      方向
ｃ      クリアランス
ｄ１    幅
ｄ２    幅
ｄ３    幅
ｆ１    フック
ｆ２    フック
ｆ３    フック
ｆ４    フック
ｆ５    フック
ｆ６    フック
ｆ７    フック
ｆ８    フック
ｆ９    フック
ｆ１０  フック
ｆ１１  フック
ｆ１２  フック
ｈ      孔
ｒ      リング
ｓ１    棚
ｓ２    棚
ｓ３    棚
ｓ４    棚
【図１】
2007029617.tif 000003
【図２】
2007029617.tif 000004
【図３】
2007029617.tif 000005
【図４】
2007029617.tif 000006
【図５】
2007029617.tif 000007
【図６】
2007029617.tif 000008
【図７】
2007029617.tif 000009
【図８】
2007029617.tif 000010
【図９】
2007029617.tif 000011
【図１０】
2007029617.tif 000012
【図１１】
2007029617.tif 000013
【図１２】
2007029617.tif 000014
【図１３】
2007029617.tif 000015
【図１４】
2007029617.tif 000016